(57)【要約】【課題】小形軽量で操作し易い安価な打込み深さ調整装置を有する釘打機を提供する。【解決手段】アジャスタ６に設けられ、組立時に使用するスパナ掛け部７を回動用把持部２８に設け、回動用把持部２８を略多角形とすることにより、アジャスタ６の小型軽量化を図ると共に打込み深さ調整の操作性を向上させた。また、アジャスタ６の長手方向のアンダーカット部９をなくし、すべり防止用の凹凸８を長手方向のみに設けて単純な二つ割り型で製作可能な形状にすることによりコスト低減を図った。【選択図】図１
2004351523.tif 000002
【特許請求の範囲】
【請求項１】
本体に内蔵したピストンと、該ピストンの動作を制御するスイッチ部と、一端が前記スイッチ部に接続され複数の部品から構成されるプッシュレバーと、該プッシュレバーの間にあって、前記ピストンの動作方向にプッシュレバー全長を伸縮させるアジャスタと、を有する釘打機であって、前記アジャスタのねじ結合用スパナ掛け部をアジャスタの回動用把持部に設けたことを特徴とする釘打機。
【請求項２】
前記アジャスタの回動用把持部のすくなくとも一面に凹凸部を形成したことを特徴とする請求項１記載の釘打機。
【請求項３】
前記アジャスタ回動用把持部を略多角形としたことを特徴とする請求項２記載の釘打機。
【請求項４】
前記アジャスタの形状は上下方向に対しアンダーカット部を無くすと共に、前記凹凸部を２分割に成形可能にした形状としたことを特徴とする請求項１記載のの釘打機。
【発明の詳細な説明】
【０００１】
【発明の属する技術分野】
本発明は釘の打込み深さを調整する装置を有する釘打機に関するものである。
【０００２】
【従来の技術】
釘打機により打込んだ釘の頭部と被打込み材表面との段差、すなわち打込み深さを調整する方法として、被打込み材に接するプッシュレバー先端とピストンの下死点における先端との距離、すなわちピストンの突出量Ｓを調整可能とすることは特許文献１等で示される様に周知である。図７に従来の打込み深さ調整装置を有した釘打機の打込み状態で、打込み動作をするためにプッシュレバー１５が被打込み材１２に押し当てられている状態を示す。プッシュレバー１５、アジャスタ６、プッシュレバー１６（以後この３部品をまとめてプッシュレバー５と称す）は常時被打込み材１２側へ押圧しているスプリング１７の荷重に抗して上昇し、スイッチアーム１８へ係合してさらに上昇させる。プッシュレバー１６の当接面１９がプッシュレバーガイドの当接面２１に当接して上昇が止まる。ここでスイッチ３を引くとピストン１が下降して釘２を打込みプッシュレバー１５先端１３からのピストン先端１１の突出量Ｓにより打込み深さが決まる。プッシュレバー１６はアジャスタ６と螺合しているため、あらかじめアジャスタ６を回動させプッシュレバー５を伸縮させておくことにより釘打込み時のピストン突出量Ｓが決まり、打込み深さが調整される。アジャスタ６は図８に示すように、組立時に使用するスパナ掛け部７と、打込み深さ調整時に使用する回動用把持部２８とが設けられており、アジャスタ６は機械加工または樹脂成形で製作されるのが一般的である。
【０００３】
【特許文献１】
特開平１０−２８６７８４号公報
【０００４】
【発明が解決しようとする課題】
従来の打込み深さ調整装置を有する釘打機においては、アジャスタ６のスパナ掛け部７と回動用把持部２８は別に設けていたためアジャスタ６にある程度の長さが必要であった。また機械加工による製作ではスパナ掛け部７の加工があるため、旋盤加工のみでは加工不可であり、製造原価が高くなりやすいという問題があった。また、小形軽量にするため回動用把持部２８の径を小さくすると、回動用把持部２８に設けた凹凸部８だけではすべってしまい、回動させにくいという問題があった。また、樹脂による成形とした場合、すべり止めのための凹凸部８形状や、軽量化のための長手方向中央部のアンダーカット部９、アジャスタ６の不意な回動を防止するためのスチールボール用スプリング収納穴３０などを考慮すると樹脂成形品では単純な二つ割り型では成形できないため多分割型になり製造原価が高くなる問題があった。
本発明の目的は小形軽量で操作し易い安価な打込み深さ調整装置を有する釘打機を提供することにある。
【０００５】
【課題を解決するための手段】
上記目的は、アジャスタの形状をスパナ掛け部を回動用把持部に設けて全長を短くし、回動用把持部を略多角形としてすべり止め用凹凸部と合せて回動させ易くし、また、長手方向のアンダーカット部をなくし、すべり防止用の凹凸形状を長手方向のみに設けて単純な二つ割り型で製作可能な形状にすることにより達成される。
【０００６】
【発明の実施の形態】
図１〜図６に本発明の一実施形態を示す。図においてプッシュレバー１５はノーズ２２に摺動可能に配設し、上端はアジャスタ６にボルト２３により取付けられている。図４に示すアジャスタ６の凸部２４をプッシュレバー１５の穴３５に入れてボルト２３により取付けるが、プッシュレバー１５の厚さＴより、凸部２４の高さＨの方をわずかに大きくしているので、プッシュレバー１５は締付けられることはなく、アジャスタ６は回動可能である。また、アジャスタ６が釘打込み時などの衝撃で回動してしまうのを防止するため、アジャスタ６の一端に１８０°離して設けた２個の穴３０へ、スチールボール２６とスプリング２７をそれぞれ配設する。スチールボール２６はスプリング２７により常にプッシュレバー１５側へ付勢されており、スチールボール２６はその直径とプッシュレバーの穴２５の径との関係で約１／３程度、穴に落ち込んでいる状態となる。この状態からアジャスタ６を回動させるためには前述の荷重に抗して回転トルクを与え、プッシュレバー１５の穴２５に落ち込んでいるスチールボール２６をプッシュレバー１５の上面３３まで浮上させて回動させる必要があるため、アジャスタ６の回動用把持部２８をしっかり指で把持し、アジャスタ６を回動させる必要がある。アジャスタ６の上部はプッシュレバー１６と螺合しており、アジャスタ６を回転させれば、アジャスタ６とプッシュレバー１６間の隙間Ｄは広がったり、狭くなったりする。つまり、プッシュレバー５全体が伸縮する。プッシュレバー５はスプリング１７により常時被打込み材側に押圧されている。ここで、図４〜図６に示すように、アジャスタ６とプッシュレバー１５とをボルト２３で取付けるときのアジャスタ６のスパナ掛け部７は、取付けボルト２３締付けのトルクをスパナで受けるのにある程度の幅寸法が必要であるが、図５に示す如くアジャスタ６の回動用把持部２８に設けたので、径大部を別に設ける必要がなくアジャスタ６自体を短く出来、ひいては釘打機を小さく出来る。また、回動用把持部２８には図５に示すように４箇所の面にすべり止め用凹凸８を設け、形状は略多角形とした。従って、把持部外径は小さいが回動させ易い形状である。また、アジャスタ６の全長が短いため、従来例のようにアジャスタ回動用把持部２８とスパナ掛け部７の中央に減肉用アンダーカット部９を設ける必要がない。アジャスタ６を樹脂成形する場合、図６に示すように中央部にプッシュレバー１５、プッシュレバー１６との螺合のためのねじ穴２９、およびスプリング２７収納穴３０が上下方向にあいているため成形型では図の上下方向に型を割る必要がある。前述したようにスパナ掛け部７を回動用把持部２８に設けたので上下方向中央部にアンダーカット部がなく、上下方向の型割りが可能となる。また、すべり止め用の凹凸部８は図５に示すように上下方向のみの凹凸にしたので上下方向の型割りが可能になる。
【０００７】
この構成で打込み動作を行うには図２に示す通りプッシュレバー１５の先端を被打込み材１２に押付け常時プッシュレバー５を被打込み材側に押圧しているスプリング１７に抗してプッシュレバー５を上昇させるとプッシュレバー１６の当接面１９がノーズ２２の当接面２０に当接して上昇が止まる。つまり、プッシュレバー１６の上死点は決まっているので、アジャスタ６の回動操作によるプッシュッレバー５の伸縮はプッシュレバー１５の先端側の先端を上下に調整することになる。プッシュレバー５が上死点近くではプッシュレバー１６の上端がプランジャ３４に係合して押上げ、この状態でスイッチ３を引けばピストン１が急激に下降し、ピストンの当接面３１がピストンバンパの上面３２に当接して下降が止まり、射出口４から釘２を打出す。釘２の打込み深さはピストンの先端１１とプッシュレバー先端１３までの距離、すなわちピストンの突出量Ｓで決まる。打込み深さを浅くする場合、アジャスタ６を回動させてプッシュレバー５が伸びる方向に調整し、プッシュレバー１６とアジャスタ６との距離Ｄを離していくとアジャスタ６とプッシュレバー１５は下降し、ピストン先端１４の突出量Ｓが小さくなり打込み深さは浅くなる。
【０００８】
【発明の効果】
本発明によれば、アジャスタの回動用把持部にスパナ掛け部を設け、形状は略多角形として数カ所にすべり止め用凹凸部を設けた。また上下方向に単純な二つ割り樹脂成形可能なような形状にしたので、小形軽量で操作し易く、安価な打込み深さ調整装置を提供出来る。
【図面の簡単な説明】
【図１】本発明釘打機の一実施形態を示す部分断面図である。
【図２】図１の打込み動作時を示す部分断面図である。
【図３】図１の打込機調整装置部分の部品展開図である。
【図４】本発明のアジャスタ側面図である。
【図５】図４に示すアジャスタのＣ矢視図、拡大図である。
【図６】図５に示すアジャスタのＤ−Ｄ線断面図である。
【図７】従来例を示す打込機調整装置の打込み動作時を示す部分断面図である。
【図８】従来例図７のアジャスタを示す平面図及び一部断面側面図である。
【符号の説明】
１はピストン、２は釘、３はスイッチ、４は射出口、５はプッシュレバー、６はアジャスタ、７はスパナ掛け部、８はすべり止め用凹凸、９はアンダーカット部、１０は釘打機、２８は回動用把持部である。
【図１】
2004351523.tif 000003
【図２】
2004351523.tif 000004
【図３】
2004351523.tif 000005
【図４】
2004351523.tif 000006
【図５】
2004351523.tif 000007
【図６】
2004351523.tif 000008
【図７】
2004351523.tif 000009
【図８】
2004351523.tif 000010